(57)【要約】【課題】移動局における周辺基地局管理処理に要する負荷を軽減して消費電力の低減を図り、かつ上り制御チャネルのオーバヘッドの低減を図る。【解決手段】移動局ＭＳから同期確立中の基地局ＢＳＡへ移動局ＭＳのセルサーチの結果を表す報告情報を送り、基地局ＢＳＡにおいて上記送られたサーチ結果の報告情報に含まれる周辺基地局の中にハンドオフ先として不適当な周辺基地局が含まれているか否かを、周辺基地局リストを参照して判定する。そして、不適当な周辺基地局が含まれていると判定された場合に、当該不適当と判断された周辺基地局に対する変更後のオフセット値を記載したオフセットリストを基地局ＢＳＡから移動局ＭＳ２へ送信し、移動局ＭＳでは上記送られたオフセットリストに記載された周辺基地局のオフセット値に従い、基地局管理リスト中の該当する周辺基地局に対するオフセット値を変更する。【選択図】      図３
2010028665.tif 000002
【特許請求の範囲】
【請求項１】
それぞれセルを形成する複数の基地局と、前記複数の基地局に対しサーチを行って接続先候補となる基地局の選択優先度を表すサーチ情報を作成し、この作成したサーチ情報を参照してハンドオフ判定を行う移動局とを具備する移動通信システムで、前記基地局として使用される無線通信装置において、
前記移動局から送信されるサーチ情報を受信する手段と、
前記受信されたサーチ情報に含まれる接続先候補となる基地局について、接続先として適当か不適当かを判定する判定手段と、
前記接続先候補となる基地局の中に、接続先として不適当であると判定された基地局が含まれていた場合に、当該接続先として不適当であると判定された基地局の選択優先度を低下させるための指示情報を、前記サーチ情報を送信した移動局へ送信する送信手段と
を具備することを特徴とする基地局として使用される無線通信装置。
【請求項２】
周辺に位置する他の基地局に関する情報を周辺基地局リストとして記憶する記憶手段を、さらに具備し、
前記判定手段は、前記受信されたサーチ情報により表される接続先候補となる基地局が前記記憶手段に記憶された周辺基地局リストに含まれているか否かを判定し、当該周辺基地局リストに含まれていない接続先候補の基地局を接続先として不適当な基地局であると判定することを特徴とする請求項１記載の基地局として使用される無線通信装置。
【請求項３】
前記送信手段は、
接続先として不適当であると判定された基地局の選択優先度を、前記サーチ情報により前記移動局から通知された当該接続先候補の基地局の第１の優先度より低い第２の優先度に変更する手段と、
前記接続先として不適当であると判定された基地局の識別情報と、前記変更された第２の優先度を表す情報を、前記サーチ情報を送信した移動局へ送信する手段と
を備えることを特徴とする請求項１又は２記載の基地局として使用される無線通信装置。
【請求項４】
請求項１乃至３のいずれかに記載の基地局として使用される無線通信装置との間で通信を行う移動局として使用される無線通信装置であって、
前記基地局としての無線通信装置から送信される指示情報を受信する手段と、
前記受信された指示情報に従い、接続先として不適当であると判定された基地局の選択優先度を低下させるべくサーチ情報を変更する手段と、
前記変更されたサーチ情報を参照してハンドオフ判定を行う手段と
を具備することを特徴とする移動局として使用される無線通信装置。
【請求項５】
前記ハンドオフ判定を行う手段は、前記変更されたサーチ情報に識別情報が記載された複数の周辺基地局のうち、前記指示情報に従い選択優先度が低い値に変更された周辺基地局をサーチ対象から除外し、除外対象とならなかった周辺基地局に対してのみサーチを行い、そのサーチ結果をもとにハンドオフ判定を行うことを特徴とする請求項４記載の移動局として使用される無線通信装置。
【請求項６】
前記ハンドオフ判定を行う手段は、前記除外対象とならなかった周辺基地局に対するサーチ結果のみを含むサーチ結果報告情報を前記基地局へ送信する手段を、さらに備えることを特徴とする請求項５記載の移動局として使用される無線通信装置。
【発明の詳細な説明】
【技術分野】
【０００１】
この発明は、セルラ方式を採用した移動通信システムにおいて、移動局が周辺基地局サーチを実施するシステムで基地局及び移動局として使用される無線通信装置に関する。
【背景技術】
【０００２】
セルラ方式の移動通信システムでは、移動局の移動に伴い接続先の基地局を切り替える、いわゆるハンドオフが行われる。現在運用されているＣＤＭＡ（Code Division Multiple Access）通信方式を採用した移動通信システムでは、上記ハンドオフに備えて以下のような処理を行っている。
【０００３】
すなわち、各基地局がそれぞれ自局の周辺に配置された基地局のうち次にハンドオフが行われる可能性のある基地局の識別情報を記載した周辺基地局リストを保持し、移動局に送信する。移動局は、電源投入時に、周辺のすべての基地局から送信されるパイロット信号を例えばスライディング相関法またはマッチドフィルタ（整合フィルタ）法により順次受信してその受信品質を計測する、いわゆる全セルサーチを行い、最も受信品質の良い基地局に対し同期を確立する。そして、この同期を確立した基地局から上記周辺基地局リストを受信し、以後この受信した周辺基地局リストに記載された周辺基地局について周期的に又は基地局からの指示に従い基地局サーチを行い、このサーチ結果に基づいて基地局管理リストを作成し管理する。基地局管理リストには、基地局ＩＤに対応付けて、例えば受信品質と、接続先候補としての優先度を表す基地局タイプが記載される。
【０００４】
移動局は、待ち受け時及び通信中に、上記基地局管理リストに基づいてハンドオフの要否を判定する。ハンドオフの要否判定は、現在同期が確立されている基地局との間の通信品質と、上記基地局管理リストに記載された周辺基地局との間の通信品質とを比較することによりなされる。そして、この判定の結果、現在同期が確立されている基地局より通信品質が良好な周辺基地局が見つかると、基地局に対しハンドオフ要求を送信する。基地局は、移動局からハンドオフ要求が到来すると、周辺基地局リストをもとにハンドオフを許可するか否かを判断し、許可した場合にハンドオフ処理が行われる。  
しかし、このような従来の移動通信システムでは、移動局の周辺基地局サーチのために基地局が各移動局に対し周辺基地局リストを送信している。このため、基地局から移動局に向かう下り制御チャネルのオーバヘッドがきわめて大きくなる。
【０００５】
一方、最近ではＯＦＤＭ（Orthogonal Frequency Division Multiplexing）通信方式を採用した移動通信システムの検討が進められている（例えば、非特許文献１を参照。）。ＯＦＤＭ通信方式を採用したシステムでは、ＣＤＭＡ通信方式を採用した既存の移動通信システムに比べ時間同期の制約が小さいため、移動局による周辺基地局サーチが比較的短時間に容易に行えるようになる。このため、同期確立中の基地局から周辺基地局リストを送信しなくてもよくなり、これにより基地局から移動局に向かう下り制御チャネルのオーバヘッドの低減が期待される。
【非特許文献１】3GPP,TR25.814(V7.1.0), “Physical Layer Aspects for Evolved UTRA”
【発明の開示】
【発明が解決しようとする課題】
【０００６】
ところで、ＯＦＤＭ通信方式を採用した移動通信システムでは、ハンドオフに備え、例えば移動局が周期的に周辺基地局に対し全セルサーチを行い、この全セルサーチによる測定結果を同期確立先の基地局に報告する処理を行うことが予想される。ところが、このセルサーチ処理とそのサーチ結果の報告処理を含む周辺基地局管理処理は、基地局が保有する周辺基地局リストとは無関係に行われる。このため、移動局の位置やその周辺の無線環境によっては、接続先候補として不適当な周辺基地局に対してもサーチ処理とそのサーチ結果の報告処理が無条件に毎回行われることになる。したがって、移動局のセルサーチ処理に対する処理負荷が大きく消費電力が増加すると共に、サーチ結果の報告情報量が多くなるため移動局から基地局に向かう上り制御チャネルのオーバヘッドが増大するおそれがある。
【０００７】
この発明は上記事情に着目してなされたもので、その目的とするところは、基地局から移動局に周辺基地局リストが送信されないシステムにあって、移動局における周辺基地局管理処理にかかる負荷を軽減して消費電力の低減を図ると共に、上り制御チャネルのオーバヘッドの低減を図った無線通信装置を提供することにある。
【課題を解決するための手段】
【０００８】
上記目的を達成するためにこの発明の一観点は、それぞれセルを形成する複数の基地局と、上記複数の基地局に対しサーチを行って接続先候補となる基地局の選択優先度を表すサーチ情報を作成し、この作成したサーチ情報を参照してハンドオフを行う移動局とを具備する移動通信システムで、上記基地局として使用される無線通信装置において、上記移動局から送信されるサーチ情報を受信し、この受信されたサーチ情報に含まれる接続先候補となる基地局について、接続先として適当か不適当かを判定する。そして、上記接続先候補となる基地局の中に、接続先として不適当であると判定された基地局が含まれていた場合に、当該接続先として不適当であると判定された基地局の選択優先度を低下させるための指示情報を、上記サーチ情報を送信した移動局へ送信するように構成したものである。
【発明の効果】
【０００９】
したがって、この発明の一観点によれば、基地局では、移動局から送られた周辺基地局のサーチ情報の中に接続先候補として不適当な周辺基地局の情報が含まれているか否かが判定され、不適当な周辺基地局が含まれていた場合には、当該周辺基地局の選択優先度を低下させるための指示が移動局に通知される。このため移動局では、上記指示に従い、自己の基地局管理リストに含まれる該当する周辺基地局の選択優先度を低下させる処理を行うことが可能となる。したがって、移動局では次回のセルサーチにおいて上記選択優先度が低く変更された周辺基地局をサーチ対象から除外することが可能となり、これによりセルサーチの処理負荷が軽減されて、セルサーチの所要時間の短縮と消費電力の低減が可能となる。またそれと共に、それ以後移動局から基地局に送信するサーチ情報の情報量を減らすことも可能となり、これにより移動局から基地局に向かう上り制御チャネルのオーバヘッドを低減することが可能となる。
【００１０】
すなわち、この発明の一観点によれば、基地局から移動局に周辺基地局リストが送信されないシステムにあって、移動局における周辺基地局管理処理にかかる負荷を軽減して消費電力の低減を図ると共に、上り制御チャネルのオーバヘッドの低減を図った無線通信装置を提供することができる。
【発明を実施するための最良の形態】
【００１１】
以下、図面を参照してこの発明の実施形態を説明する。  
図１は、この発明の一実施形態に係わる移動通信システムにおいて、基地局として使用される無線通信装置の機能構成を示すブロック図である。この無線通信装置は、アンテナ１１と、無線ユニット１２と、信号処理ユニット１３と、ネットワークインタフェース１４と、制御ユニット１５と、周辺基地局情報データベース１６とを備えている。
【００１２】
無線ユニット１２は、図示しない移動局との間でアンテナ１１を介して無線通信信号を送受信するために、制御データ及び情報データに対する変復調処理や周波数変換処理を行う。信号処理ユニット１３は例えばＤＳＰ（Digital Signal Processor）により構成され、制御データ及び情報データに対する符号復号処理やＯＦＤＭ通信のためのフォーマット変換処理等のベースバンド信号処理を行う。ネットワークインタフェース１４は、図示しない移動通信制御局との間で上記制御データ及び情報データの転送を行う。
【００１３】
周辺基地局情報データベース１６には、自局の周辺に配置された基地局のうちハンドオフの接続先として適当な基地局の識別情報を記載した周辺基地局リストが保存されている。基地局の識別情報には、基地局ＩＤと、当該基地局に対し予め設定された拡散符号の識別値等が含まれる。
【００１４】
制御ユニットは例えばＣＰＵ（Central Processing Unit）を備え、この発明を実施するために必要な制御機能として、サーチ結果受信制御部１５１と、接続適／不適判断部１５２と、オフセットリスト作成部１５３と、更新オフセットリスト送信制御部１５４を備えている。なお、これらの制御機能は何れも、制御ユニット１５内のプログラムメモリに格納されたアプリケーション・プログラムを上記ＣＰＵに実行させることにより実現される。
【００１５】
サーチ結果受信制御部１５１は、自己の基地局との間で同期が確立されている移動局から周期的に送信される周辺基地局のサーチ結果を表す情報を受信と保存するための処理を実行する。
【００１６】
接続適／不適判断部１５２は、上記サーチ結果受信制御部１５１において、移動局から送信された周辺基地局のサーチ結果報告情報が受信されたとき、この受信されたサーチ結果報告情報に記載された周辺基地局の中にハンドオフ先として不適当な周辺基地局が含まれているか否かを、上記周辺基地局情報データベース１６に保存された周辺基地局リストを参照して判断する処理を実行する。
【００１７】
具体的には、上記受信されたサーチ結果報告情報に接続先候補として記載された周辺基地局の各々について、当該周辺基地局が周辺基地局リストに記載されているか否かを照合し、周辺基地局リストに記載されていない場合には当該周辺基地局をハンドオフ先として不適当な基地局と判断する。
【００１８】
オフセットリスト作成部１５３は、上記接続適／不適判断部１５２により、移動局から送られたサーチ結果報告情報に記載された接続先候補となる周辺基地局の中にハンドオフ先として不適当な周辺基地局が含まれていると判断された場合に、当該不適当と判断された周辺基地局のＩＤと当該周辺基地局に対するオフセット値を記載した更新用のオフセットリストを作成する処理を実行する。
【００１９】
更新オフセットリスト送信制御部１５４は、上記オフセットリスト作成部１５３により作成された更新用のオフセットリストを、送信元の移動局に向け送信する処理を実行する。
【００２０】
一方、この発明の一実施形態に係わる移動局は次のように構成される。図２はその機能構成を示すブロック図である。すなわち、移動局は、アンテナ２１と、無線ユニット２２と、信号処理ユニット２３と、音声処理ユニット２４と、制御ユニット２５と、記憶ユニット２６とを備え、さらにユーザインタフェースとして、スピーカ２７及びマイクロホン２８からなる通話ユニットと、入力デバイス２９と、表示デバイス３０とを備えている。
【００２１】
入力デバイス２９は、ダイヤルキーパッドと、発信キー、終了キー及びカーソルキー等を含む複数の機能キーとから構成される。また、表示デバイス３０はＬＣＤ又は有機ＥＬを用いた表示器からなる。
【００２２】
無線ユニット２２は、基地局との間でアンテナ２１を介して無線通信信号を送受信するために、制御データ及び情報データに対する変復調処理や周波数変換処理を行う。信号処理ユニット２３は例えばＤＳＰ（Digital Signal Processor）により構成され、制御データ及び情報データに対する符号復号処理やＯＦＤＭ通信のためのフォーマット変換処理等のベースバンド信号処理を行う。
【００２３】
音声処理ユニット２４は、上記信号処理ユニット２３により復号された情報データに音声データが含まれている場合に、この音声データをアナログ音声信号に復号してスピーカ２７から出力させる。また音声処理ユニット２４は、マイクロホン２８から入力された送話音声信号を音声データに符号化して信号処理ユニット２３へ出力する。
【００２４】
記憶ユニット２６には、電話帳データや発着信履歴データ、音楽や映像等のコンテンツデータが記憶されると共に、後述する制御ユニット２５により作成される基地局管理リストが格納される。
【００２５】
制御ユニット２５は例えばＣＰＵ（Central Processing Unit）を備え、この発明を実施するために必要な制御機能として、基地局サーチ制御部２５１と、サーチ結果通知制御部２５２と、オフセット値更新処理部２５３とを備えている。なお、これらの制御機能は何れも、制御ユニット２５内のプログラムメモリに格納されたアプリケーション・プログラムを上記ＣＰＵに実行させることにより実現される。
【００２６】
基地局サーチ制御部２５１は、電源が投入された時に全セルサーチを行い、そのサーチ結果をもとに接続先候補となる周辺基地局の選択優先度を表す基地局管理リストを作成して記憶ユニット２６に記憶させる。基地局管理リストには、上記セルサーチにより検出された周辺基地局のＩＤと、当該周辺基地局の受信品質と、接続先候補としての優先度を表すオフセット値が記載される。また基地局サーチ制御部２５１は、上記基地局管理リストが得られた後には、当該基地局管理リストをもとに優先度が上位の基地局を選択し、この選択した上位の周辺基地局に対してセルサーチを行い、その測定結果をもとに基地局管理リストを更新する処理を、予め設定された周期で実行する。
【００２７】
サーチ結果通知制御部２５２は、上記基地局サーチ制御部２５１によりセルサーチが行われるごとに、当該セルサーチのサーチ結果を報告するための情報を上り制御チャネルを介して同期確立先の基地局に向けて送信させる処理を実行する。
【００２８】
オフセット値更新処理部２５３は、上記サーチ結果通知制御部２５２によりサーチ結果の情報が送信された後に、同期確立先の基地局から送信される更新用オフセットリストの到来を監視する。そして、自局宛ての更新用オフセットリストが受信された場合に、当該更新用オフセットリストに記載された周辺基地局のオフセット値に従い、記憶ユニット２６に記憶された基地局管理リスト中の該当する周辺基地局に対するオフセット値を変更する処理を実行する。
【００２９】
次に、以上のように構成された基地局及び移動局の動作を説明する。  
例えばいま図４に示すように、基地局ＢＳＡ，ＢＳＢと基地局ＢＳＣ，ＢＳＤが湾を挟んでその両岸に配設され、それぞれ無線通信エリア（セル）ＺＡ，ＡＢとＺＣ，ＺＤを形成しており、移動局ＭＳが基地局ＢＳＡのセルＺＡ内に存在するものとする。この状態で移動局ＭＳの電源が投入されると、以後移動局ＭＳと基地局ＢＳＡとの間では以下のようにハンドオフのためのセルサーチ動作を実行する。図３はその処理手順と処理内容を示すフローチャートである。
【００３０】
すなわち、移動局ＭＳの制御ユニット２５は、先ずステップＳ３２において基地局サーチ制御部２５１の制御の下で、周辺に存在する基地局に対する全セルサーチを実行する。この全セルサーチは、例えば無線ユニット２２又は信号処理ユニット２３に設けられるスライディング相関器またはマッチドフィルタ（整合フィルタ）を用い、基地局ＢＳＡ〜ＢＳＤからそれぞれ送信されるパイロット信号を順次受信してその受信品質を計測することにより行われる。
【００３１】
基地局サーチ制御部２５１は、上記全セルサーチの測定結果をもとに受信品質が最も良い基地局（ここではＢＳＡ）を選択し、この選択した基地局ＢＳＡとの間で同期を確立する。またそれと共に基地局サーチ制御部２５１は、上記全セルサーチの測定結果をもとに基地局管理リストを作成し、この作成した基地局管理リストを記憶ユニット２６に格納する。基地局管理リストには、上記全セルサーチにより検出された周辺基地局のＩＤと、当該周辺基地局の受信品質と、接続先候補としての優先度を表すオフセット値が記載される。
【００３２】
次に移動局ＭＳの制御ユニット２５は、ステップＳ３３においてサーチ結果通知制御部２５２の制御の下で、上記全セルサーチにより得られた測定結果をもとに、上記同期が確立された基地局ＢＳＡを除いた周辺基地局を表すサーチ結果報告情報を作成し、この報告情報を無線ユニット２２から上記同期が確立された基地局ＢＳＡに向け送信する。
【００３３】
例えば、いま上記全セルサーチにより周辺基地局として基地局ＢＳＢのみが検出された場合には、当該基地局ＢＳＢのＩＤとその受信品質を含むサーチ結果報告情報が作成されて基地局ＢＳＡへ送信される。また、周辺基地局として基地局ＢＳＢ，ＢＳＣ，ＢＳＤが検出された場合には、当該検出された基地局ＢＳＢ，ＢＳＣ，ＢＳＤのＩＤとその受信品質を含むサーチ結果報告情報が作成されて基地局ＢＳＡへ送信される。
【００３４】
これに対し、基地局ＢＳＡの制御ユニット１５は、ステップＳ３４においてサーチ結果受信制御部１５１の制御の下で移動局ＭＳからのサーチ結果報告情報の到来を監視している。この状態で、上記移動局ＭＳから送信されたサーチ結果報告情報が無線ユニット１２を介して信号処理ユニット１３により受信されると、ステップＳ３５において接続適／不適判断部１５２により、上記受信されたサーチ結果報告情報に記載された周辺基地局の中にハンドオフ先として不適当な周辺基地局が含まれているか否かを、周辺基地局情報データベース１６に保存された周辺基地局リストを参照して判定する。
【００３５】
この判定の結果、サーチ結果報告情報に不適当な周辺基地局が含まれていた場合には、ステップＳ３６においてオフセットリスト作成部１５３により、上記不適当と判定された周辺基地局に対するオフセット値を低い値に更新させるためのオフセットリストを作成する。そして、更新オフセットリスト送信制御部１５４の制御の下で、上記作成されたオフセットリストを信号処理ユニット１３から無線ユニット１２を介して報告元の移動局ＭＳ２向け送信させる。これに対しサーチ結果報告情報に不適当な周辺基地局が含まれていない場合には、オフセットリストを送信しない。
【００３６】
例えば図４に示すように、基地局ＢＳＡ，ＢＳＢと基地局ＢＳＣ，ＢＳＤが湾を挟んで対向配置されている場合、これらの間には障害物がないため、基地局ＢＳＡのセルＺＡ内に存在する移動局ＭＳではセルが隣接する基地局ＢＳＢからのパイロット信号だけでなく、基地局ＢＳＣ，ＢＳＤからのパイロット信号も受信されることがある。この場合移動局ＭＳでは、セルサーチの結果をもとに上記基地局ＢＳＢ，ＢＳＣ，ＢＳＤのＩＤとその受信品質を含むサーチ結果報告情報が作成され、基地局ＢＳＡへ送信される。
【００３７】
一方、基地局ＢＳＡの周辺基地局情報データベース１６には、ハンドオフ先の周辺基地局として適当な周辺基地局の情報のみを記載した周辺基地局リストが記憶されている。例えば図４の場合、基地局ＢＳＡのセルＺＡに存在する移動局の予想される移動方向を考慮すると、ハンドオフ先として基地局ＢＳＣ，ＢＳＤは不適当であるため、周辺基地局リストには周辺基地局ＢＳＢの情報のみが記載されている。
【００３８】
このため、基地局ＢＳＡの制御ユニット１５は、移動局ＭＳから送られたサーチ結果報告情報に基地局ＢＳＢ，ＢＳＣ，ＢＳＤのＩＤが含まれていると、上記各基地局ＢＳＢ，ＢＳＣ，ＢＳＤのうち基地局ＢＳＣ，ＢＳＤは周辺基地局リストに記載されていないので、これらの基地局ＢＳＣ，ＢＳＤはハンドオフ先として不適当と判定する。そして、このハンドオフ先として不適当と判定された基地局ＢＳＣ，ＢＳＤに対するオフセット値を、ハンドオフ先として選択され難くするためにさらに低い値に設定し、この設定したオフセット値のリストを報告元の移動局ＭＳ２へ送信する。なお、移動局ＭＳから送られたサーチ結果報告情報に基地局ＢＳＢのＩＤのみが記載されていた場合には、当該基地局ＢＳＢは周辺基地局リストに含まれているのでハンドオフ先として適当と判定され、オフセットリストは送信されない。
【００３９】
移動局ＭＳの制御ユニット２５は、上記サーチ結果報告情報の送信後に基地局ＢＳＡからのオフセットリストの返送を監視する。この状態で、基地局ＢＳＡから送信されたオフセットリストが無線ユニット２２を介して信号処理ユニット２３により受信されると、ステップＳ３７においてオフセット更新処理部２５３が、記憶ユニット２６に記憶された基地局管理リストに記載された周辺基地局のうち、上記受信されたオフセットリストに記載された基地局ＢＳＣ，ＢＳＤのオフセット値を上記オフセットリストにより指定された値に変更する。
【００４０】
上記初期同期確立直後の最初の全セルサーチ処理が終了すると、移動局ＭＳの制御ユニット２５はステップＳ３７において、基地局サーチ制御部２５１の制御の下で周辺基地局に対するセルサーチを一定の周期で実行する。ただし、この初期同期確立後の２回目以降のセルサーチは、全セルサーチではなく基地局管理リストに基づいて行われ、しかもこの基地局管理リストに記載された各周辺基地局のうちオフセット値により示される優先度が上位の周辺基地局に対してのみ行われる。
【００４１】
したがって、初期同期確立後の２回目以降のセルサーチでは、基地局管理リストに記載された各周辺基地局のうち、上記オフセット更新処理によりオフセット値が低い値に変更された基地局ＢＳＣ，ＢＳＤはサーチ対象から除外され、基地局ＢＳＢのみがサーチ対象となる。この結果、セルサーチ処理を行う際の移動局ＭＳの制御ユニット２５の処理負荷は軽減され、またサーチに要する時間も短縮される。上記セルサーチの結果は、サーチ結果報告情報として基地局ＢＳＡに送信される。
【００４２】
一方、基地局ＢＳＡの制御ユニット１５は、上記移動局ＭＳから送信されたサーチ結果報告情報が受信されると、ステップＳ３９からステップＳ４０に移行し、先に述べた処理同期直後の全セルサーチの場合と同様に、接続適／不適判断部１５２により、上記受信されたサーチ結果報告情報に記載された周辺基地局の中にハンドオフ先として不適当な周辺基地局が含まれているか否かを、周辺基地局情報データベース１６に保存された周辺基地局リストを参照して判定する。この場合、上記移動局ＭＳから送信されたサーチ結果報告情報には、先に述べたように基地局ＢＳＢのサーチ結果しか含まれていない。このため、上記接続適／不適判断部１５２では、サーチ結果報告情報には不適当な周辺基地局が含まれていないと判定され、オフセットリストは送信されない。
【００４３】
なお、上記移動局ＭＳから送信されたサーチ結果報告情報に、不適当な周辺基地局が新たに含まれていた場合には、基地局ＢＳＡの制御ユニット１５はステップＳ４１において、オフセットリスト作成部１５３が上記不適当と判定された周辺基地局に対するオフセット値を低い値に更新させるためのオフセットリストを作成し、この作成されたオフセットリストを更新オフセットリスト送信制御部１５４の制御の下で、報告元の移動局ＭＳ２向け送信する。
【００４４】
移動局ＭＳの制御ユニット２５は、上記サーチ結果報告情報の送信後に基地局ＢＳＡからのオフセットリストの返送をステップＳ４２で監視しながら、ステップＳ４３によりハンドオフの要否を判定する。このハンドオフの要否は、現在同期が確立されている基地局ＢＳＡから送信されるパイロット信号の受信品質と、上記基地局管理リストに記載された周辺基地局ＢＳＢから送信されるパイロット信号の受信品質とを比較することによりなされる。そして、この判定の結果、現在同期が確立されている基地局ＢＳＡよりも周辺基地局ＢＳＢの受信品質の方が良好と判断すると、ステップＳ４４により基地局ＢＳＡに対しハンドオフ要求を送信する。
【００４５】
基地局ＢＳＡの制御ユニット１５は、移動局ＭＳからハンドオフ要求が到来したことをステップＳ４５において検出すると、周辺基地局情報データベース１６に記憶された周辺基地局リストをもとにハンドオフを許可するか否かを判断し、許可した場合にはステップＳ４６によりハンドオフ処理を実行する。
【００４６】
以後同様に、移動局ＭＳの制御ユニット２５では、ステップＳ３８により周期的にセルサーチ処理を実行してその結果を基地局ＢＳＡに報告する処理と、ステップＳ３９によりハンドオフの要否を判定してハンドオフが必要な場合にはハンドオフ要求を送信する処理を繰り返し実行される。一方、基地局ＢＳＡの制御ユニット１５では、ステップＳ３９〜Ｓ４１により、移動局ＭＳから送られたサーチ結果報告情報に含まれる周辺基地局についてハンドオフ先として適当か不適当かを判定し、不適当な周辺基地局が含まれていれば当該周辺基地局のオフセット値を低下させるためのオフセットリストを移動局ＭＳ２通知する処理と、ステップＳ４５，Ｓ４６によりハンドオフ要求の到来を監視してハンドオフ要求が到来した場合にハンドオフを行う処理を繰り返し実行する。
【００４７】
以上述べたようにこの実施形態では、移動局ＭＳから同期確立中の基地局ＢＳＡへ移動局ＭＳのセルサーチの結果を表す報告情報を送り、基地局ＢＳＡにおいて上記送られたサーチ結果の報告情報に含まれる周辺基地局の中にハンドオフ先として不適当な周辺基地局が含まれているか否かを、周辺基地局情報データベース１６に保存された周辺基地局リストを参照して判定する。そして、この判定の結果、不適当な周辺基地局ＢＳＣ，ＢＳＤが含まれていると判定された場合に、当該不適当と判断された周辺基地局ＢＳＣ，ＢＳＤのＩＤと当該周辺基地局に対する変更後のオフセット値を記載したオフセットリストを基地局ＢＳＡから移動局ＭＳ２へ送信し、移動局ＭＳでは上記送られたオフセットリストに記載された周辺基地局ＢＳＣ，ＢＳＤのオフセット値に従い、記憶ユニット２６に記憶された基地局管理リスト中の該当する周辺基地局ＢＳＣ，ＢＳＤに対するオフセット値を変更するようにしている。
【００４８】
したがって、移動局ＭＳでは次回のセルサーチにおいて上記オフセット値が変更された周辺基地局ＢＳＣ，ＢＳＤをサーチ対象から除外することが可能となり、これにより制御ユニット２５におけるセルサーチの処理負荷が軽減されて、セルサーチの所要時間の短縮と消費電力の低減が可能となる。またそれと共に、それ以後移動局ＭＳから基地局ＢＳＡに送信するサーチ結果報告情報の情報量を減らすことも可能となり、これにより移動局ＭＳから基地局ＢＳＡに向かう上り制御チャネルのオーバヘッドを低減することが可能となる。
【００４９】
またこの実施形態では、上記したように不適当と判断された周辺基地局ＢＳＣ，ＢＳＤに対する変更後のオフセット値を記載したオフセットリストを基地局ＢＳＡにおいて作成して移動局ＭＳ２に送り、移動局ＭＳでは上記送られたオフセットリストに記載された周辺基地局ＢＳＣ，ＢＳＤのオフセット値に従い、基地局管理リスト中の該当する周辺基地局ＢＳＣ，ＢＳＤに対するオフセット値を変更するようにしている。このため、移動局ＭＳは変更後のオフセット値を自身で設定する必要がなく、その分変更処理が簡略化される。
【００５０】
なお、この発明は上記実施形態に限定されるものではない。例えば、前記実施形態では不適当と判断された周辺基地局ＢＳＣ，ＢＳＤに対する変更後のオフセット値を記載したオフセットリストを基地局ＢＳＡにおいて作成して移動局ＭＳ２に送り、移動局ＭＳにおいて上記オフセットリストに記載されたオフセット値に従い、基地局管理リスト中の該当する周辺基地局に対するオフセット値を変更するようにした。しかし、これに限定されるものではなく、基地局ＢＳＡから移動局ＭＳへオフセット値を低下させるための指示コマンドを送り、この指示コマンドを受信した移動局ＭＳが予め設定された量だけオフセット値を低下させるようにしてもよい。
【００５１】
その他、基地局及び移動局の種類やその構成、セルサーチの制御手順や処理内容、周辺基地局リストに記載される周辺基地局の数、移動局が基地局管理リストに記載された周辺基地局の中からサーチ対象として周辺基地局を選択する際のオフセット値等についても、この発明の要旨を逸脱しない範囲で種々変形して実施できる。
【００５２】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５３】
【図１】この発明の一実施形態に係わる移動通信システムの基地局の機能構成を示すブロック図である。
【図２】この発明の一実施形態に係わる移動通信システムの移動局の機能構成を示すブロック図である。
【図３】図１および図２に示した基地局および移動局によるハンドオフのためのセルサーチ処理動作を説明するフローチャートである。
【図４】図３に示したセルサーチ動作の説明に使用するセルの配置例を示す図である。
【符号の説明】
【００５４】
ＢＳＡ〜ＢＳＤ…基地局、ＺＡ〜ＺＤ…セル、ＭＳ…移動局、１１，２２…アンテナ、１２，２２…無線ユニット、１３，２３…信号処理ユニット、１４…ネットワークインタフェース、１５，２５…制御ユニット、１６…周辺基地局情報データベース、２４…音声処理ユニット、２６…記憶ユニット、２７…スピーカ、２８…マイクロホンと、２９…入力デバイス、３０…表示デバイス、１５１…サーチ結果受信制御部、１５２…接続適／不適判断部、１５３…オフセットリスト作成部、１５４…更新オフセットリスト送信制御部、２５１…基地局サーチ制御部、２５２…サーチ結果通知制御部、２５３…オフセット値更新処理部。
【図１】
2010028665.tif 000003
【図２】
2010028665.tif 000004
【図３】
2010028665.tif 000005
【図４】
2010028665.tif 000006